(57)【要約】  蝶番（１０）は、第１取付け要素（１１）に回動自在に取り付けられた第１アーム（１４）と、第２取付け要素（１２）に回動自在に取り付けられた第２アーム（１５）とを有する。第１アームと第２アーム（１４、１５）は交差し、ピボット（１３）によって回動自在に接合されている。第１リンク（２４）が第１取付け要素（１１）に回動自在に連結され、第２アーム（１５）に回動自在に結合されている。第２リンク（２１）が第２取付け要素（１２）に回動自在に連結され、第１アーム（１４）に回動自在に結合されている。前記第１リンクと第２リンク（２１、２４）の少なくとも１つは、リンクが連結されるアームの位置を、取付け要素のアームへの回動式結合部に対して調節するように、調節可能である。第１アーム（１４）は、一緒に回動自在に結合された２つの部分（３１、３２）として形成され、これによって、一方の部分（３１）の他方の部分（３２）に対する角位置を変えることができ、調節された角位置に調節ねじ（４４）によって保持することができる。
2008523277.tif 000002
【特許請求の範囲】
【請求項１】
閉鎖物を開口部に対して調節可能に取り付けるための蝶番において、使用中、閉鎖物に結合されている取付け手段に回動自在に結合され、第１部分と第２部分とを有する可動要素であって、前記第１部分はピボット結合部によって、ピボット軸の周りに回動自在に前記第２部分に結合され、前記ピボット軸は前記可動要素の前記取付け手段への回動式結合の軸に対して直角である可動要素と、前記第１部分を前記第２部分に対して調節された角位置で固定するための調節手段とを含む、蝶番。
【請求項２】
前記調節手段が、前記第２部分に結合されて前記第１部分と係合された第１固定要素と、前記第２部分に結合されて、前記第１固定要素の前記第１部分との係合部に実質的に対向する前記第１部分と係合された第２固定要素とを含み、前記第１固定要素と前記第２固定要素は前記第２部分に調節可能に結合されている請求項１に記載の蝶番。
【請求項３】
前記第１固定要素と前記第２固定要素の各々が、前記第２部分のねじ付き孔の中に係合するらせんねじ付き要素である請求項２に記載の蝶番。
【請求項４】
前記第２部分が二叉分岐部分を有し、前記二叉分岐部分の中に前記第１部分の一端部が係合されて、前記ピボット結合部によって結合され、前記二叉分岐部分は、前記第１固定要素が結合される第１部分と、前記第２固定要素が結合される第２部分とを形成し、これによって前記第１固定要素と前記第２固定要素は前記可動要素の前記第２部分の対向する両側と係合される請求項２または３に記載の蝶番。
【請求項５】
前記可動要素の前記第１部分が前記対向する両側の各々にプロファイル部分を含み、各プロファイル部分は前記固定要素のそれぞれ１つによって係合されるように位置決めされる請求項４に記載の蝶番。
【請求項６】
第１取付け要素に回動自在に取り付けるようになっている第１アームと、第２取付け要素に回動自在に取り付けるようになっている第２アームであって、前記第１アームと前記第２アームは交差してピボット手段によって回動自在に接合される第２アームと、前記第１取付け要素に回動自在に連結するようになっておりかつ前記第２アームに回動自在に結合されている第１リンクと、前記第２取付け要素に回動自在に連結するようになっておりかつ前記第１アームに回動自在に結合されている第２リンクであって、前記第１リンクと前記第２リンクの少なくとも１つは、前記リンクが連結されているアームの位置を、前記取付け要素の前記アームへの回動式結合に関して調節するように調節可能であり、前記第１アームはピボット結合部によってピボット軸の周りに共に結合された２つのアーム部分として形成され、これによって１つのアーム部分の第２アーム部分に対する角位置を変えることができる第２リンクと、前記第１アーム部分と前記第２アーム部分とを調節された角位置に保持するための調節手段とを含む、蝶番。
【請求項７】
前記ピボット軸が、前記第１アームと前記第２アームとを接合する前記ピボット手段の前記ピボット軸に実質的に直角である請求項６に記載の蝶番。
【請求項８】
前記第２アーム部分が、前記第２アーム部分の一方の側に隣接して位置する第１部分と、前記第２アーム部分の反対の側に隣接して位置する第２部分とを有し、前記第１部分と前記第２部分の各々が、それ自体に調節要素を調節可能に結合しており、前記調節要素は前記第２アーム部分と係合されており、これによって前記第１アーム部分は前記第１部分と前記第２部分の間の調節された位置に保持される請求項７に記載の蝶番。
【請求項９】
各調節要素が、前記第２アーム部分の中のねじ込み孔の中に係合するねじ込み要素である請求項８に記載の蝶番。
【請求項１０】
調節要素の接触端部が前記第２アーム部分のプロファイル面と係合し、前記プロファイル面は前記調節要素の長手軸に実質的に直角をなしている請求項８に記載の蝶番。
【請求項１１】
前記調節要素が、前記調節要素の回転を容易にするために工具によって係合するための整形された凹所を有する請求項１０に記載の蝶番。
【請求項１２】
前記ねじ付き孔が、前記第２アーム部分における突出した環状ボス枠の中に部分的に形成されている請求項９、１０、または１１に記載の蝶番。
【請求項１３】
前記第１リンクと前記第２リンクの１つもしくは両方が、前記取付け要素に回動結合するようになっている第１リンク部分と、前記第１リンク部分に対応してねじ切りされた部分と係合するねじ切り部分を含む第２リンク部分とを有し、前記第２リンク部分はピボット・ピンと係合し、前記ピボット・ピンは前記リンクをそれぞれのアームに回動自在に結合する請求項６から１２のいずれか一項に記載の蝶番。
【請求項１４】
前記アームの各々は、前記ピボット・ピンを回動自在に支える二叉分岐部分を含み、前記第２リンク部分は、前記二叉分岐部分の対向する部分の間に位置する前記ピボット・ピンの部分の通る横断開口部を通して係合している請求項１３に記載の蝶番。
【請求項１５】
前記第２リンク部分は押えねじであり、そのヘッドは前記ピボット・ピンの一方の側に位置し、前記押えねじは、前記横断孔を通って前記ピボット・ピンの他方の側から延びるスリーブを通って係合されて前記ヘッドと係合し、これによって前記押えねじが前記ピボット・ピンの中に回転可能に保持される請求項１３または１４に記載の蝶番。
【請求項１６】
前記第１リンク部分は揺れる要素を含み、前記揺れる要素を通して、前記第２リンク部分の前記ねじ込み部分が係合し、これによって前記揺れる要素は前記ねじ込み部分を調節された位置に保持する請求項１３、１４、または１５に記載の蝶番。
【請求項１７】
前記第１アームと前記第１リンクは、回動式取付け機構によって前記第１取付け要素に結合され、これによって、前記第１取付け要素と前記第１アームと前記第１リンクの間の限定された角移動が可能になる請求項６から１６のいずれか一項に記載の蝶番。
【請求項１８】
前記第１取付け要素は、前記第１取付け要素を閉鎖物に固着するための締め具を受け入れるために、単一の開口部を有する請求項１７に記載の蝶番。
【請求項１９】
前記第１アームと前記第１リンクは、前記単一開口部に密に隣接する前記第１取付け要素に結合されている請求項１８に記載の蝶番。
【請求項２０】
実質的に添付の図面を参照して本明細書に説明されるような、閉鎖物を開口部に対して調節可能に取り付けるための蝶番。
【発明の詳細な説明】
【技術分野】
【０００１】
本発明は蝶番に関する。
【背景技術】
【０００２】
国際特許明細書ＷＯ９９／０７２６０には、ガラス・パネルの蝶番式取付けのための特定の用途を有する蝶番が開示されている。しかし、この蝶番は開口部に対する開位置と閉位置との間を移動可能なように任意の形の閉鎖物を蝶番式に取り付けるための用途を有することは、当業者の誰にも明白であろう。
【０００３】
ＷＯ９９／０７２６０の蝶番は、重いガラス・パネルまたはその他の大きくて重い閉鎖物の制御された開閉のために効率的で有効な解決策を提供するので、特に成功している。この蝶番の主な特質は、これが調節可能な形式であることである。したがって、開口部に対する閉鎖物の物理的位置決めを、蝶番に取り付けられたままの閉鎖物でも調節することができる。かくして、閉鎖物を確実に調節することによって、閉鎖物を正しい閉位置に移動させ、ダスト・シールなどに対して正しく、密接に移動させることができる。
【０００４】
ＷＯ９９／０７２６０の蝶番は一対の調節可能なリンクを含む。これらの調節可能なリンクを使用することによって、閉鎖物を開口部の平面に対して左側または右側に、および／もしくは内側または外側に調節することができる。しかし、蝶番自体の構造の中に、開口部に対して閉鎖物を上下に容易に調節するための機能は全く提供されていない。
【発明の開示】
【発明が解決しようとする課題】
【０００５】
したがって本発明の目的は、閉鎖物が連結されている開口部に対して開口部の高さの調節を実施するための調節機能を設けた構造の蝶番を提供することである。
【課題を解決するための手段】
【０００６】
広くは、本発明の一態様によれば、開口部に対して閉鎖物を調節可能に取り付けるための蝶番が提供され、この蝶番は、使用中は閉鎖物に結合するための取付け手段に回動自在に結合された可動要素であって、可動要素は第１部分と第２部分とを有し、第１部分はピボット軸の周りで回動結合部によって第２部分に回動自在に結合され、前記ピボット軸は、取付け手段への可動要素の回動式結合軸に直角である、可動要素と、第１部分を第２部分に対して調節された角配置で固定するための調節手段とを含む。
【０００７】
調節手段が、第２部分に結合されて第１部分と係合する第１固定要素と、第２部分に結合されて、第１部分を有する第１固定要素の係合部とは実質的に対向して第１部分と係合する第２固定要素とを含み、第１固定要素と第２固定要素は第２部分に調節可能に結合されていることは好ましい。
【０００８】
第１固定要素と第２固定要素の各々を、第２部分のねじ込み孔の中に係合するらせん状ねじ込み要素にすることができる。
【０００９】
第２部分が二叉分岐部分を有し、二叉分岐部分の中に第１部分の一端部が係合して回動結合部によって結合され、前記二叉分岐部分は、第１固定要素が結合されている第１部分と、第２固定要素が結合されている第２部分とを形成し、これによって第１固定要素と第２固定要素が可動要素の第２部分の対向する両側と係合することは好ましい。
【００１０】
本発明の広義の第２態様によれば、第１取付け要素に回動自在に取り付けるようになっている第１アームと、第２取付け要素に回動自在に取り付けるようになっている第２アームとを含み、第１アームと第２アームは交差してピボット手段によって回動自在に接合され、さらに第１取付け要素に回動自在に連結されると共に第２アームに回動自在に結合されている第１リンクと、第２取付け要素に回動自在に連結されると共に第１アームに回動自在に結合されている第２リンクとを含む蝶番であって、前記第１リンクと第２リンクの少なくとも１つは、そのリンクが連結されているアームの位置を、取付け要素のアームへの回動式結合に関して調節するように調節可能であり、前記第１アームはピボット結合部によってピボット軸の周りに共に結合された２つのアーム部分として形成され、これによって第１アーム部分の第２アーム部分に対する角位置を変えることができ、さらに第１アーム部分と第２アーム部分とを調節された角位置に保持するための調節手段を含む蝶番が提供される。
【００１１】
ピボット軸が、第１アームと第２アームとを接合するピボット手段のピボット軸に実質的に直角であることが好ましい。
【００１２】
第２アーム部分が、第２アーム部分の一方の側に隣接して位置する第１部分と、第２アーム部分の反対の側に隣接して位置する第２部分とを有し、前記第１部分と第２部分の各々が、それ自体に調節要素を調節可能に結合しており、調節要素は第２アーム部分と係合されており、これによって第１アーム部分は第１部分と第２部分の間の調節された位置に保持されることは好ましい。
【００１３】
各調節要素が、第２アーム部分の中のねじ込み孔の中に係合するねじ込み要素であることが好ましい。調節要素の接触端部は第２アーム部分のプロファイル面と係合し、プロファイル面は調節要素の長手軸に実質的に直角をなしている。
【００１４】
第１リンクと第２リンクの１つもしくは両方が、前記取付け要素に回動結合するようになっている第１リンク部分と、第１リンク部分に対応してねじ切りされた部分と係合するねじ切り部分を含む第２リンク部分とを有し、前記第２リンク部分はピボット・ピンと係合し、ピボット・ピンがリンクをそれぞれのアームに回動自在に結合することが好ましい。
【００１５】
各アームが、ピボット・ピンを回動自在に支える二叉分岐部分を含み、第２リンク部分が、二叉分岐部分の対向する部分の間に位置するピボット・ピンの部分の通る横断開口部を通して係合していることが好ましい。
【００１６】
第２リンク部分が押えねじであり、そのヘッドはピボット・ピンの一方の側に位置し、押えねじは、横断孔を通ってピボット・ピンの他方の側から延びるスリーブを通って係合されてヘッドと係合し、これによって押えねじがピボット・ピンの中に回転可能に保持されることは好ましい。
【００１７】
好ましい形式では、第１リンク部分は揺れる要素を含み、揺れる要素を通して、第２リンク部分のねじ込み部分が係合し、これによって揺れる要素はねじ込み部分を調節された位置に保持する。
【００１８】
好ましくは第１アームと第１リンクは、回動式取付け機構によって前記取付け要素に結合され、これによって、第１取付け要素と第１アームと第１リンクとの間の限定された角移動が可能になる。
【００１９】
第１取付け要素は、第１取付け要素を閉鎖物に固着するための締め具を受け入れるために、単一の開口部を有することができる。
【発明を実施するための最良の形態】
【００２０】
以下に本発明の好ましい実施形態をさらに詳しく説明するにあたり、添付の図面を参照する。
【００２１】
図１〜５を参照すると、構成部分Ｆに取り付けられた本発明による蝶番１０が示されている。この構成部分Ｆは、フレーム、壁、またはその他の固定された構造要素の一部分を模擬するものであり、要素Ｆの平面に直角に開口部に隣接している。同様に、蝶番が代表的要素Ｃに取り付けられて示され、この要素Ｃは閉鎖物を示し、図１〜５に示すような開位置から図１０に示すような閉位置へ移動することができる。
【００２２】
したがって、図示する蝶番１０の形では、蝶番は閉鎖物取付けプレート１１を含み、これによって蝶番を閉鎖物Ｃに取り付けることができる。同様に、固定された構造要素Ｆに取付け可能な「フレーム」取付けプレート１２も有する。
【００２３】
国際特許明細書ＷＯ９９／０７２６０（この内容は特定の参照によって本明細書に組み込まれている）に開示されているように、蝶番１０は、第２アーム１５と交差する（例えばこれを通過することが好ましい）主閉鎖物支持アーム１４を含む。アーム１４、１５はピボット１３を介して一緒に回動自在に結合されている。アーム１４は、例えば取付けプレート１１によって支えられた一対の取付けフランジ１７によって、取付けプレート１１にピボット１６を介して一端部に回動自在に結合されている。同様に、第２アーム１５の一端部は、（例えば取付けフランジ１９によって）フレーム取付けプレート１２にピボット１８を介して回動自在に取り付けられている。
【００２４】
各アーム１４、１５は、ピボット１３の軸の先まで延びている。したがって、アーム１４は、ピボット２０を介して調節可能リンク２１の一端部に回動自在に結合されている。リンク２１の他の端部は、ピボット２２を介して取付けプレート１２に（例えば一対のフランジ２３によって）結合されている。
【００２５】
同様な方式で、調節可能リンク２４がピボット２５を介して第２アーム１５に取り付けられ、他の端部では、ピボット２６によって取付けプレート１１のフランジ２７に（例えばフランジ２７によって）取り付けられている。図示するように、フランジ１７、２７を１つの部分として形成することができる（図１を参照）。
【００２６】
蝶番の一形式では、調節可能型であるエンド・ストップ機構を組み込むことができる。これは、開位置にあるときに蝶番のためのエンド・ストップを設ける。
【００２７】
そのように、本発明のこの形式では、ピボット・ピン２０は主アーム１４のそれぞれの側の先まで延びており、各突出部分には調節ねじがねじ込み式に係合されている。この調節ねじは、その一端部がアームの整形された突合せ部と係合状態になることができるように、突出部分を完全に通過して延びている。この整形された突合せ部を傾斜した面の形にすることができる。
【００２８】
その結果として、ストップ調節ねじの端部が傾斜面突合せ部と接触することになる点は、ストップ調節ねじがピボット・ピン２０から突出する程度に依存する。
【００２９】
主閉鎖物支持アーム１４は、図示するように２つの構成部分によって形成されている。図６において理解できるように、主アーム１４は、内側に第２構成部分３２が（後記するように）回動自在に取り付けられる第１構成部分３１で形成されている。第１構成部分３１は二叉分岐部分３３を有する。二叉分岐部分３３の各レッグ部分は開口部３４を組み込んでおり、開口部３４を通ってピボット・ピン２０が係合して、アーム１４をリンク２１に結合している。
【００３０】
第１アーム構成部分３１はさらに中空部分３５を有し、中空部分３５の中にリンク・アーム３２の一端部が係合している。孔３６がアーム構成部分３１を通ってアーム構成部分３１の対向する側部の壁の間に延びている。この孔３６を通して、ピボット１３のピボット・ピンが係合している。図８において理解できるように、リンク・アーム３２は、孔３６を通って係合するピボット・ピン１３のために間隙を設けるように、二叉分岐端部分３８を有する。
【００３１】
リンク・アーム３２の二叉分岐部分３８の各レッグ部分には、開口部３９がある。これらの整列した開口部３９を通して、ピボット・ピン４０が係合し、ピボット・ピン４０の端部は、第１アーム構成部分３１の本体の対向する壁４２における対向する軸方向に整列した開口部４１の中に係合している。図９において理解できるように、中空部分３５の内側壁３７の対向する面は、リンク・アーム３２が第１構成部分３１に回動自在に結合される点から分岐している。この結果、リンク・アーム３２は、ピン４０の軸の周りに限られた回動角度（θ°）だけ移動することができる。
【００３２】
厚さの追加が必要である場合には、壁３７の各々に環状のボス枠を形成させることができる。各遠位端部４３（および存在する場合にはボス枠）を通る孔４３にはねじが切られている。調節ねじ４４がこの中に係合し、ねじ４４の軸部の端部４４ａが、リンク・アーム３２のプロファイル面４５と接触している。したがって、調節ねじ４４がリンク・アーム３２の両側部に係合することによって、リンク・アーム３２を締め付けて、リンク・アーム３２を所定位置に固定し、これによってリンク・アーム３２はピボット・ピン４０の軸の周りに回動することができなくなる。
【００３３】
各孔４３を、第１アーム構成部分３１の面３７に対してある角度で構成することができる。したがって、これは調節ねじ４４のヘッドをある角度とすることができ、これによって制限された空間の中でヘッドへアクセスすることができるようになる。ねじ４４のヘッドは図２ではアレン・キー形式の工具用の六角凹所を有するものとして示されているが、同様にヘッドを突出した形状で、スパナと係合するための外部六角形状を有することもできる。
【００３４】
環状ボスは、調節ねじ４３のヘッドに角度を付けることができるのみならず、調節ねじ４４を受け入れるために、ねじの十分な長さのための厚さも提供する。
【００３５】
各プロファイル面４５を切子面にすることができる。これらは調節ねじ４４の端部に対する接触面となり、調節ねじ４４の長手軸に直角に、端部を面に対してしっかり接触させるように形成される。プロファイル面４５は、図示されているように、すぐにアーム３２における凹所区域４５になることができる（図示された形）。これは、ねじ４４の軸に実質的に直角になるように形成される。
【００３６】
リンク・アーム３２の遠位端部３２ａは開口部４６を有し、開口部４６を通って、アーム１４を取付けプレート１１の一対のフランジ１７に連結するピボット・ピン１６が係合されている。
【００３７】
したがって図１、２を参照すると、一対の高さ調節ねじ４４を調節することによって、アーム構成部分３１に対するリンク・アーム３２の環状位置を調節できることが理解されよう。効果的に、これはリンク・アーム３２をアーム構成部分３１に対して上方または下方に動かし、次いで閉鎖物Ｃの位置を上昇または下降させる。閉鎖物Ｃが一対の蝶番によって取り付けられ、こうしてこのような調節が各蝶番において行われることは理解されよう。
【００３８】
ＷＯ９９／０７２６０に記載された蝶番によるように、調節可能なリンク２１、２４は、調節可能リンクによって連結されたピボットの間の距離を変えることができる形式のものである。したがって、ＷＯ９９／０７２６０に記載された構成では、ローズ・ジョイントを備えた簡単なターン・バックル構成を、ターン・バックルの有効長を調節してこれによりピボットの軸間距離を調節できるように使用することができる。
【００３９】
本発明によれば、また図１１に示すように、ピボット・ピン（例えばピボット・ピン２５）はその長さにおいて、ピボット・ピンの対向する両側に凹所４７、４８を設けるようにウェストの形をしている。フランジ付きのスリーブ４９が備えられ、スリーブ部分５０が、ピボット・ピン２５の開口部５１の中に係合可能なように寸法決定されている。この結果、フランジ５２は凹所４８の中に係合することができる。
【００４０】
押えねじ５４が開口部５１を通って係合し、フランジ付きスリーブ４９を通ってねじ込み式に係合され、他の側から（すなわち六角枠５５の先）遠位端部５４ａへ出ている。
【００４１】
リンク２４は細長い部分５６を有し、この細長い部分５６の一端部は環状取付け部６５を有し、この部分はフランジ２７の間に係合してピボット・ピン２６によって捕獲されている。細長い部分５６の遠位端部には拡大部分５７があって、この中に押えねじ５４の露出したねじ付き端部５４ａが係合することができる。この拡大端部の中に開口部５８が形成されている。
【００４２】
ピボット・ピン２５、押えねじ５４、フランジ付きスリーブ４９は、押えねじ５４によって組み立てられ、押えねじ５４は、スリーブ５０の端部がヘッド５９の下側と係合するまでスリーブ４９の中にねじ込まれる。スリーブ４９の長さは、ヘッド５９とスリーブ４９がぴったり係合したときに、それでもスリーブ４９が孔５１の中でなお回転できるような長さである。したがって、押えねじ５４はピボット・ピン２５に締め付けられているが、回転することはできる。
【００４３】
したがって押えねじ５４を、リンク部材５６のねじ付き孔６６の中にまたは外までさらに端部５４ａをねじ込むように、回転させることができ、これによってリンク２４の有効長を（それぞれ）短くするか長くする。いったんリンク２４がその必要長に調節されると、端部５４ａは横断経路６８の中に位置するナイロン（またはその他の適当なプラスチック材料）の揺れる要素６７を通過するので、このように調節された位置に留まることになる。要素６７は開口部６９を有し、開口部６９を通って端部５４ａがねじ込み式に係合する。開いた区域５８によって、ねじ付き端部５４ａが揺れる要素６７を通っている状態の視覚的な指示が得られる。
【００４４】
図１１に示すように、ピボット・ピン２５の各端部は小径部分６０を有する。各小径端部６０にはスリーブ６１が係合する。スリーブ６１はアーム１５の中に形成された開口部の中に係合し、スリーブ６１を通って関連するピボット・ピン２５が係合する。これはＷＯ９９／０７２６０に開示されているものと同様な構成である。
【００４５】
環状取付け部６５の中にスリーブ７０が係合する。図１１で分かるように、ピボット・ピン２６は、中央に配置された面７２を設けたプロファイル中央部分７１を有する。（組み合わせた接合部における）スリーブ７０がこの面７２の上に載り、リンク部材５６がピボット・ピン２６の中央長手軸に配置される角度に応じて、いずれかの側に揺れる。したがって、リンク２４のピボット・ピン２６への結合は、高さの調節が本明細書に説明するように実施されるので、自動的に整列可能である。
【００４６】
本発明の図示された形では、閉鎖物取付けプレート１１は円形で示されており、これはピボット１６、２６が相対的に近接しているので達成可能であり、これは、本発明による蝶番が異なる幾何形状を有するので、ＷＯ９９／０７２６０に示されるピボットより共に接近している。単一の留め具を備えて、閉鎖物Ｃを通って取付けプレート１１のボス枠の中に係合させることができる。
【００４７】
フレームＦに取り付けるための取付けプレート１２は、さらに細長い形を有し、プレート１２をフレームＦに留めるための２つの機械的留め具６３を備えている。
【００４８】
こうして、本発明による蝶番は、閉鎖物Ｃの位置を開口部に対して左方向、右方向、内方向、外方向のいずれにも調節するための手段を、調節可能リンク２１、２４によって提供する。高さ調節ねじ４４は、開口部に対する閉鎖物Ｃの上下調節を行う容易な手段を提供する。したがって、非常に単純であるが効果的な手段で、蝶番自体に関する簡単な調節が、閉鎖物Ｃの位置の開口部に対する完全な調節を提供することができる。
【００４９】
当業者には理解されるように、本発明には変更が受け入れられる。例えば、取付けプレート１１、１２の代わりに、突出物を、具体的にはチャネル状突出物を使用することができる。このような突出物のフランジの位置を、ピボット・ピン１６、１８、２２、および２６のための取付けフランジとして機能するように選ぶこともできる。ピボット・ピン２２の場合には、図示した実施形態に示すように、一対のフランジ２３よりも広い間隔のチャネル部分の壁間隔を受け入れるためのスペーサまたはパッカーが必要になろう。
【００５０】
蝶番構成部分をステンレス鋼、ダイカスト・アルミニウム、またはプラスチック、もしくはこれらの組合せによって作ることができると考えられる。
【００５１】
本発明の範囲内におけるその他の変更も、当業者には明白になろう。
【図面の簡単な説明】
【００５２】
【図１】閉鎖物が開口部に対して完全に開いた位置にある状態で蝶番が示されている、本発明による蝶番の斜視図である。
【図２】図１とは異なる位置から見た斜視図である。
【図３】図１に示す機構の平面図である。
【図４】図３における矢印Ｘの方向における立面図である。
【図５】図３における矢印Ｙの方向における立面図である。
【図６】図１〜５に示すような蝶番の主閉鎖物支持アームの斜視図である。
【図７】図６に示すアームの下側の図である。
【図８】図６に示すアームの側面図である。
【図９】図８の線Ｂ−Ｂに沿った断面図である。
【図１０】閉位置にあるときの状態を示す蝶番の平面図である。
【図１１】調節可能リンクの一形式の構造を詳細に示す分解斜視図である。
【図１】
2008523277.tif 000003
【図２】
2008523277.tif 000004
【図３】
2008523277.tif 000005
【図４】
2008523277.tif 000006
【図５】
2008523277.tif 000007
【図６】
2008523277.tif 000008
【図７】
2008523277.tif 000009
【図８】
2008523277.tif 000010
【図９】
2008523277.tif 000011
【図１０】
2008523277.tif 000012
【図１１】
2008523277.tif 000013
【国際調査報告】
2008523277.tif 000014
2008523277.tif 000015